【手続補正書】
【提出日】平成25年2月18日(2013.2.18)
【手続補正１】
【補正対象書類名】特許請求の範囲
【補正対象項目名】全文
【補正方法】変更
【補正の内容】
【特許請求の範囲】
【請求項１】
少なくとも２種類の流体を混合させる流体流路を有する流体混合器において、
直交座標系の互いに直交する３軸を、第１軸、第２軸、第３軸としたとき、
＋第１軸方向に延び、流体導入口からの流体を＋第１軸方向に流す第１の流路と、
上記第１の流路から分岐する第２の流路及び第３の流路と、
上記第２の流路と第３の流路と接続された合流部と、
上記合流部に接続され、−第１軸方向に延びる第４の流路と、
上記第４の流路に接続され、流体を導出する導出口に導出する導出路と、を備え、かつ、
上記第２の流路が、上記第１の流路から＋第２軸方向に延び、＋第１軸方向に延び、−第２軸方向に延びて上記合流部に接続され、上記第３の流路が、上記第１の流路から−第２軸方向に延び、＋第１軸方向に延び、＋第２軸方向に延びて上記合流部に接続される第１の流体混合器と、
上記第２の流路が、上記第１の流路から＋３軸方向に延び、＋第１軸方向に延び、−第３軸方向に延びて上記合流部に接続され、上記第３の流路が、上記第１の流路から−第３軸方向に延び、＋第１軸方向に延び、＋第３軸方向に延びて上記合流部に接続される第２の流体混合器と、をさらに備え、
上記第１の流体混合器と上記第２の流体混合器とが互いに接続されることを特徴とする流体混合器。
【請求項２】
少なくとも２種類の流体を混合させる流体流路を有する流体混合器において、
直交座標系の互いに直交する３軸を、第１軸、第２軸、第３軸としたとき、
＋第１軸方向に延び、流体導入口からの流体を＋第１軸方向に流す第１の流路と、
上記第１の流路から分岐する第２の流路及び第３の流路と、
上記第２の流路と第３の流路と接続された合流部と、
上記合流部に接続され、−第１軸方向に延びる第４の流路と、
上記第４の流路に接続され、流体を導出する導出口に導出する導出路と、を備え、かつ、
上記第２の流路は、上記第１の流路から＋第２軸方向に延び、＋第１軸方向に延び、−第２軸方向に延びて上記合流部に接続され、
上記第３の流路は、上記第１の流路から−第２軸方向に延び、＋第１軸方向に延び、＋第２軸方向に延びて上記合流部に接続され、かつ、
上記第１軸をＸ軸、第２軸をＹ軸、第３軸をＺ軸とした流体混合器である第１の要素と、
上記第１軸をＸ軸、第２軸をＺ軸、第３軸をＹ軸とした流体混合器であり、上記第１の要素の導出路に接続される第２の要素と、
上記第１軸をＹ軸、第２軸をＸ軸、第３軸をＺ軸とした流体混合器であり、上記第２の要素の導出路に接続される第３の要素と、
上記第１軸をＺ軸、第２軸をＹ軸、第３軸をＸ軸とした流体混合器であり、上記第３の要素の導出路に接続される第４の要素と、
上記第１軸をＸ軸、第２軸をＺ軸、第３軸をＹ軸とした流体混合器であり、上記第４の要素の導出路に接続される第５の要素と、
上記第１軸をＹ軸、第２軸をＸ軸、第３軸をＺ軸とした流体混合器であり、上記第５の要素の導出路に接続される第６の要素と、
を備えることを特徴とする流体混合器。
【請求項３】
アミノ酸を分析するアミノ酸分析装置において、
試料液と溶離液とを合流させるオートサンプラーと、
上記オートサンプラーから供給される混合液から検出対象成分を分離する分離カラムと、
上記分離カラムにより分離された検査対象成分と試薬液とを混合する流体混合器であり、
直交座標系の互いに直交する３軸を、第１軸、第２軸、第３軸としたとき、＋第１軸方向に延び、流体導入口からの流体を＋第１軸方向に流す第１の流路と、上記第１の流路から分岐する第２の流路及び第３の流路と、上記第２の流路と第３の流路と接続された合流部と、上記合流部に接続され、流体を導出する導出口に導出する導出路とを有する流体混合器と、
上記流体混合器により混合された試薬液及び検査対象成分を加温する加温機と、
上記加温機で生じる反応生成物を検出する検出器と、を備え、
上記流体混合器は、
上記第２の流路が、上記第１の流路から＋第２軸方向に延び、＋第１軸方向に延び、−第２軸方向に延びて上記合流部に接続され、上記第３の流路が、上記第１の流路から−第２軸方向に延び、＋第１軸方向に延び、＋第２軸方向に延びて上記合流部に接続される第１の流体混合器と、
上記第２の流路が、上記第１の流路から＋３軸方向に延び、＋第１軸方向に延び、−第３軸方向に延びて上記合流部に接続され、上記第３の流路が、上記第１の流路から−第３軸方向に延び、＋第１軸方向に延び、＋第３軸方向に延びて上記合流部に接続される第２の流体混合器と、を備え、
上記第１の流体混合器と上記第２の流体混合器とが互いに接続されることを特徴とするアミノ酸分析装置。
【請求項４】
アミノ酸を分析するアミノ酸分析装置において、
試料液と溶離液とを合流させるオートサンプラーと、
上記オートサンプラーから供給される混合液から検出対象成分を分離する分離カラムと、
上記分離カラムにより分離された検査対象成分と試薬液とを混合する流体混合器であり、
直交座標系の互いに直交する３軸を、第１軸、第２軸、第３軸としたとき、＋第１軸方向に延び、流体導入口からの流体を＋第１軸方向に流す第１の流路と、上記第１の流路から分岐する第２の流路及び第３の流路と、上記第２の流路と第３の流路と接続された合流部と、上記合流部に接続され、流体を導出する導出口に導出する導出路とを有する流体混合器と、
上記流体混合器により混合された試薬液及び検査対象成分を加温する加温機と、
上記加温機で生じる反応生成物を検出する検出器と、を備え、
上記流体混合器は、
上記第２の流路が、上記第１の流路から＋第２軸方向に延び、＋第１軸方向に延び、−第２軸方向に延びて上記合流部に接続され、かつ、
上記第３の流路が、上記第１の流路から−第２軸方向に延び、＋第１軸方向に延び、＋第２軸方向に延びて上記合流部に接続され、
上記第１軸をＸ軸、第２軸をＹ軸、第３軸をＺ軸とした流体混合器である第１の要素と、
上記第１軸をＸ軸、第２軸をＺ軸、第３軸をＹ軸とした流体混合器であり、上記第１の要素の導出路に接続される第２の要素と、
上記第１軸をＹ軸、第２軸をＸ軸、第３軸をＺ軸とした流体混合器であり、上記第２の要素の導出路に接続される第３の要素と、
上記第１軸をＺ軸、第２軸をＹ軸、第３軸をＸ軸とした流体混合器であり、上記第３の要素の導出路に接続される第４の要素と、
上記第１軸をＸ軸、第２軸をＺ軸、第３軸をＹ軸とした流体混合器であり、上記第４の要素の導出路に接続される第５の要素と、
上記第１軸をＹ軸、第２軸をＸ軸、第３軸をＺ軸とした流体混合器であり、上記第５の要素の導出路に接続される第６の要素と、
を備えることを特徴とするアミノ酸分析装置。
【請求項５】
アミノ酸を分析するアミノ酸分析装置において、
試料液と溶離液とを合流させるオートサンプラーと、
上記オートサンプラーから供給される混合液から検出対象成分を分離する分離カラムと、
上記分離カラムにより分離された検査対象成分を試薬液と混合し、加温する流体混合加温器であり、直交座標系の互いに直交する３軸を、第１軸、第２軸、第３軸としたとき、＋第１軸方向に延び、流体導入口からの流体を＋第１軸方向に流す第１の流路と、上記第１の流路から分岐する第２の流路及び第３の流路と、上記第２の流路と第３の流路と接続された合流部と、上記合流部に接続され、−第１軸方向に延びる第４の流路と、この第４の流路に接続され、流体を導出する導出口に導出する導出路とを有する流体混合部と、
この流体混合部を加温する加温部を有する流体混合加温部と、
上記流体混合器により混合された試薬液及び検査対象成分を加温する加温機と、
上記加温機で生じる反応生成物を検出する検出器と、を備え、かつ、
上記流体混合部は、
上記第２の流路が、上記第１の流路から＋第２軸方向に延び、＋第１軸方向に延び、−第２軸方向に延びて上記合流部に接続され、上記第３の流路が、上記第１の流路から−第２軸方向に延び、＋第１軸方向に延び、＋第２軸方向に延びて上記合流部に接続される第１の流体混合部と、
上記第２の流路が、上記第１の流路から＋第３軸方向に延び、＋第１軸方向に延び、−第３軸方向に延びて上記合流部に接続され、上記第３の流路が、上記第１の流路から−第３軸方向に延び、＋第１軸方向に延び、＋第３軸方向に延びて上記合流部に接続される第２の流体混合部と、
が互いに接続されることを特徴とするアミノ酸分析装置。
【請求項６】
アミノ酸を分析するアミノ酸分析装置において、
試料液と溶離液とを合流させるオートサンプラーと、
上記オートサンプラーから供給される混合液から検出対象成分を分離する分離カラムと、
上記分離カラムにより分離された検査対象成分を試薬液と混合し、加温する流体混合加温器であり、直交座標系の互いに直交する３軸を、第１軸、第２軸、第３軸としたとき、＋第１軸方向に延び、流体導入口からの流体を＋第１軸方向に流す第１の流路と、上記第１の流路から分岐する第２の流路及び第３の流路と、上記第２の流路と第３の流路と接続された合流部と、上記合流部に接続され、−第１軸方向に延びる第４の流路と、この第４の流路に接続され、流体を導出する導出口に導出する導出路とを有する流体混合部と、
この流体混合部を加温する加温部を有する流体混合加温部と、
上記流体混合器により混合された試薬液及び検査対象成分を加温する加温機と、
上記加温機で生じる反応生成物を検出する検出器と、を備え、かつ、
上記流体混合部は、
上記第２の流路が、上記第１の流路から＋第２軸方向に延び、＋第１軸方向に延び、−第２軸方向に延びて上記合流部に接続され、かつ、
上記第３の流路が、上記第１の流路から−第２軸方向に延び、＋第１軸方向に延び、＋第２軸方向に延びて上記合流部に接続され、
上記第１軸をＸ軸、第２軸をＹ軸、第３軸をＺ軸とした流体混合器である第１の要素と、
上記第１軸をＸ軸、第２軸をＺ軸、第３軸をＹ軸とした流体混合器であり、上記第１の要素の導出路に接続される第２の要素と、
上記第１軸をＹ軸、第２軸をＸ軸、第３軸をＺ軸とした流体混合器であり、上記第２の要素の導出路に接続される第３の要素と、
上記第１軸をＺ軸、第２軸をＹ軸、第３軸をＸ軸とした流体混合器であり、上記第３の要素の導出路に接続される第４の要素と、
上記第１軸をＸ軸、第２軸をＺ軸、第３軸をＹ軸とした流体混合器であり、上記第４の要素の導出路に接続される第５の要素と、
上記第１軸をＹ軸、第２軸をＸ軸、第３軸をＺ軸とした流体混合器であり、上記第５の要素の導出路に接続される第６の要素と、
を備えることを特徴とするアミノ酸分析装置。
【請求項７】
少なくとも２種類の流体を混合させる流体流路を有する流体混合方法において、
直交座標系の互いに直交する３軸を、第１軸、第２軸、第３軸としたとき、
＋第１軸方向に延び、流体導入口からの流体を＋第１軸方向に流体を流し、
上記第１の流路から第２の流路及び第３の流路に流体を分岐し、
上記第２の流路と第３の流路とに分岐された流体を合流部で合流し、
上記合流部で合流した流体を、−第１軸方向に流し、
上記流体を導出口に導出し、かつ、
上記第２の流路が、上記第１の流路から＋第２軸方向に延び、＋第１軸方向に延び、−第２軸方向に延びて上記合流部に接続され、上記第３の流路が、上記第１の流路から−第２軸方向に延び、＋第１軸方向に延び、＋第２軸方向に延びて上記合流部に接続される第１の流体混合器と、
上記第２の流路が、上記第１の流路から＋３軸方向に延び、＋第１軸方向に延び、−第３軸方向に延びて上記合流部に接続され、上記第３の流路が、上記第１の流路から−第３軸方向に延び、＋第１軸方向に延び、＋第３軸方向に延びて上記合流部に接続される第２の流体混合器と、を互いに接続することを特徴とする流体混合方法。
【請求項８】
少なくとも２種類の流体を混合させる流体流路を有する流体混合方法において、
直交座標系の互いに直交する３軸を、第１軸、第２軸、第３軸としたとき、
＋第１軸方向に延び、流体導入口からの流体を＋第１軸方向に流体を流し、
上記第１の流路から第２の流路及び第３の流路に流体を分岐し、
上記第２の流路と第３の流路とに分岐された流体を合流部で合流し、
上記合流部で合流した流体を、−第１軸方向に流し、
上記流体を導出口に導出し、
上記第２の流路が、上記第１の流路から＋第２軸方向に延び、＋第１軸方向に延び、−第２軸方向に延びて上記合流部に接続され、
上記第３の流路は、上記第１の流路から−第２軸方向に延び、＋第１軸方向に延び、＋第２軸方向に延びて上記合流部に接続され、かつ、
上記第１軸をＸ軸、第２軸をＹ軸、第３軸をＺ軸とした流体混合器である第１の要素と、
上記第１軸をＸ軸、第２軸をＺ軸、第３軸をＹ軸とした流体混合器であり、上記第１の要素の導出路に接続される第２の要素と、
上記第１軸をＹ軸、第２軸をＸ軸、第３軸をＺ軸とした流体混合器であり、上記第２の要素の導出路に接続される第３の要素と、
上記第１軸をＺ軸、第２軸をＹ軸、第３軸をＸ軸とした流体混合器であり、上記第３の要素の導出路に接続される第４の要素と、
上記第１軸をＸ軸、第２軸をＺ軸、第３軸をＹ軸とした流体混合器であり、上記第４の要素の導出路に接続される第５の要素と、
上記第１軸をＹ軸、第２軸をＸ軸、第３軸をＺ軸とした流体混合器であり、上記第５の要素の導出路に接続される第６の要素と、
を備えることを特徴とする流体混合方法。